(57)【要約】【課題】換気装置本体の制御基板またはリモートコントローラが交換されたときでも交換前の機能設定内容に戻し易い換気装置を得ること。【解決手段】換気装置本体４０とリモートコントローラ５０とを備えた換気装置６０を構成するにあたり、換気装置本体には手動式の機能設定部を設け、リモートコントローラには、立ち上げ処理時に当該リモートコントローラに機能設定データがあるときには該機能設定データに基づいて機能設定指令を作成し、換気装置本体にのみ機能設定データがあるときには該機能設定データに基づいて機能設定指令を作成し、当該リモートコントローラおよび換気装置本体のいずれにも機能設定データがないときには換気装置本体から機能設定部での設定内容についての情報を得て機能設定指令を作成する指令管理部を設ける。【選択図】        図１
2010101578.tif 000002
【特許請求の範囲】
【請求項１】
送風機を駆動させて換気を行う換気装置本体と、前記換気装置本体と通信により指令や情報を授受するリモートコントローラとを備えた換気装置であって、
前記換気装置本体は、
機能設定するための手動式の機能設定部と、
前記リモートコントローラから機能設定指令が送信されてきたときに該機能設定指令に従って機能設定を行って前記送風機の動作を制御する送風機制御部と、
前記機能設定指令に対応した機能設定データを作成すると共に機能設定の履歴データの更新を行う本体側データ管理部と、
前記本体側データ管理部による前記機能設定データおよび前記履歴データが格納される本体側記憶部と、
を有し、
前記リモートコントローラは、
前記機能設定指令に対応した機能設定データを作成すると共に機能設定の履歴データの更新を行うリモート側データ管理部と、
前記リモート側データ管理部による前記機能設定データおよび前記履歴データが格納されるリモート側記憶部と、
立ち上げ処理時に前記リモート側記憶部に前記履歴データが格納されているときには、前記リモート側記憶部から前記機能設定データを得て機能設定指令を作成し、前記リモート側記憶部に前記履歴データが格納されておらず、前記本体側記憶部に前記履歴データが格納されているときには、前記換気装置本体から前記機能設定データを得て機能設定指令を作成し、前記リモート側記憶部および前記本体側記憶部のいずれにも前記履歴データが格納されていないときには、前記換気装置本体から前記機能設定部での設定内容についての情報を得て機能設定指令を作成する指令管理部と、
を有する、
ことを特徴とする換気装置。
【請求項２】
送風機を駆動させて換気を行う換気装置本体と、前記換気装置本体と通信により指令や情報を授受するリモートコントローラとを備えた換気装置であって、
前記換気装置本体は、
機能設定するための手動式の機能設定部と、
前記リモートコントローラから機能設定指令が送信されてきたときに該機能設定指令に従って機能設定を行って前記送風機の動作を制御する送風機制御部と、
を有し、
前記リモートコントローラは、
前記機能設定指令に対応した機能設定データを作成すると共に機能設定の履歴データの更新を行うデータ管理部と、
前記データ管理部による前記機能設定データおよび前記履歴データが格納される記憶部と、
立ち上げ処理時に前記記憶部に前記履歴データが格納されているときには、前記記憶部から前記機能設定データを得て機能設定指令を作成し、前記記憶部に前記履歴データが格納されていないときには、前記換気装置本体から前記機能設定部での設定内容についての情報を得て機能設定指令を作成する指令管理部と、
を有する、
ことを特徴とする換気装置。
【請求項３】
送風機を駆動させて換気を行う換気装置本体と、前記換気装置本体と通信により指令や情報を授受するリモートコントローラとを備えた換気装置であって、
前記換気装置本体は、
機能設定するための手動式の機能設定部と、
前記リモートコントローラから機能設定指令が送信されてきたときに該機能設定指令に従って機能設定を行って前記送風機の動作を制御する送風機制御部と、
前記機能設定指令に対応した機能設定データを作成すると共に機能設定の履歴データの更新を行うデータ管理部と、
前記データ管理部による前記機能設定データおよび前記履歴データが格納される記憶部と、
を有し、
前記リモートコントローラは、立ち上げ処理時に前記記憶部に前記履歴データが格納されているときには、前記換気装置本体から前記機能設定データを得て機能設定指令を作成し、前記記憶部に前記履歴データが格納されていないときには、前記換気装置本体から前記機能設定部での設定内容についての情報を得て機能設定指令を作成する指令管理部を有する、
ことを特徴とする換気装置。
【請求項４】
送風機を駆動させて換気を行う複数台の換気装置本体と、該複数台の換気装置本体の各々と通信により指令や情報を授受するリモートコントローラとを備えた換気システムであって、
前記複数台の換気装置本体の各々は、機能設定するための手動式の機能設定部を有し、
前記複数台の換気装置本体の各々と前記リモートコントローラとのいずれか一方は、前記リモートコントローラからの機能設定指令を有効とするか無効とするかを選択する有効／無効選択部を有し、
前記有効／無効選択部により有効が選択されているときには、各換気装置本体が前記機能設定指令に従って機能設定を行い、無効が選択されているときには、代表機に指定されている換気装置本体のみが前記機能設定指令に従って機能設定を行い、代表機に指定されていない換気装置本体は前記機能設定指令に従わずに前記機能設定部での設定内容に従って機能設定を行う、
ことを特徴とする換気システム。
【発明の詳細な説明】
【技術分野】
【０００１】
本発明は、換気装置本体とリモートコントローラとを備えた換気装置、および換気装置本体を複数台備えた換気システムに関するものである。
【背景技術】
【０００２】
建物内の空気調和を行う換気装置では、換気装置本体の起動、停止は勿論、換気装置本体が有する種々の機能についての設定をユーザがリモートコントローラで行えるものが種々開発されており、利便性を高めるために様々な改良が加えられている。
【０００３】
例えば特許文献１に記載された換気装置（空気調和装置）は、ディップスイッチにより制御内容を切り換えることができるコントローラ（室内機コントローラ）を有する換気装置本体（室内機）と、室内機コントローラに運転状態設定値の変更指令を送信するリモートコントローラとを備え、室内機コントローラは、上記の変更指令を記憶して、該変更指令に含まれている運転状態設定値についてはその内容に従い、含まれていない運転状態設定値については上記ディップスイッチの内容に従って制御を行うように構成されている。
【０００４】
また、特許文献２に記載された換気装置（空気調和機）は、リモートコントローラのみが交換されたときの機能設定を容易にするために、リモートコントローラで新たな機能設定や機能変更を行ったときにその内容を機能情報として換気装置本体（室内機）に送信して記憶させ、換気装置本体がその起動時に上記の機能情報を読み出してリモートコントローラに送信し、該機能情報のうちリモートコントローラ自身で設定可能な機能は当該リモートコントローラが引き継ぎ、リモートコントローラ自身で設定不可能な機能は該リモートコントローラに予め設定されたデフォルト値を代用するように構成されている。
【０００５】
【特許文献１】特開平７−３５３９９号公報
【特許文献２】特開２００２−１３０７８２号公報
【発明の開示】
【発明が解決しようとする課題】
【０００６】
換気装置の実際の運転性能は必ずしも仕様値とはならず、例えば換気装置本体が給気ダクトと排気ダクトとに接続されるタイプの換気装置では、施工時のダクトワーク等、施工状況に応じて運転性能が変化する。特許文献１に記載された換気装置のように、換気装置本体に設けたディップスイッチにより換気装置本体のコントローラによる制御内容を切り換えれば、施工状況に応じた機能設定を設置時に行うことが可能である。しかしながら、その後にユーザが自分の好みにあった機能設定を行う際には、上記ディップスイッチによる設定内容がユーザには不明であることから、仕様値からどの程度変更すればよいか判断できず、所望の機能設定を行い難い。
【０００７】
また、換気装置では、特許文献１，２に記載された各換気装置に限らず、換気装置本体に不具合が生じて制御基板を交換する際に該制御基板に実装されて機能情報を記憶していた記憶素子も一緒に交換される。このため、制御基板を新品のものと交換したときは当該換気装置での機能設定内容がメーカによる初期設定内容に、また新品以外のものと交換したときには当該換気装置の機能設定内容が他のユーザによる設定内容になってしまう。したがって、制御基板を交換する前にユーザが行った機能設定とメーカによる初期設定または他のユーザによる設定とが異なっていたときには、制御基板の交換後にユーザが機能を設定し直さなければならない。
【０００８】
本発明は上記の事情に鑑みてなされたものであり、換気装置本体とリモートコントローラとを備え、換気装置本体の制御基板またはリモートコントローラが交換されたときに交換前の機能設定内容に戻し易い換気装置、および複数台の換気装置本体それぞれの機能設定を個別に行い易い換気システムを得ることを目的とする。
【課題を解決するための手段】
【０００９】
上記目的を達成する本発明の換気装置は、送風機を駆動させて換気を行う換気装置本体と、換気装置本体と通信により指令や情報を授受するリモートコントローラとを備えた換気装置であって、換気装置本体は、機能設定するための手動式の機能設定部と、リモートコントローラから機能設定指令が送信されてきたときに該機能設定指令に従って機能設定を行って送風機の動作を制御する送風機制御部と、機能設定指令に対応した機能設定データを作成すると共に機能設定の履歴データの更新を行う本体側データ管理部と、本体側データ管理部による機能設定データおよび履歴データが格納される本体側記憶部とを有し、リモートコントローラは、機能設定指令に対応した機能設定データを作成すると共に機能設定の履歴データの更新を行うリモート側データ管理部と、リモート側データ管理部による機能設定データおよび履歴データが格納されるリモート側記憶部と、立ち上げ処理時にリモート側記憶部に履歴データが格納されているときには、リモート側記憶部から機能設定データを得て機能設定指令を作成し、リモート側記憶部に履歴データが格納されておらず、本体側記憶部に履歴データが格納されているときには、換気装置本体から機能設定データを得て機能設定指令を作成し、リモート側記憶部および本体側記憶部のいずれにも履歴データが格納されていないときには、換気装置本体から機能設定部での設定内容についての情報を得て機能設定指令を作成する指令管理部とを有することを特徴とするものである。
【発明の効果】
【００１０】
本発明の換気装置では、本体側記憶部およびリモート側記憶部の各々に機能設定データが格納されるので、換気装置本体の制御基板またはリモートコントローラが交換されたときには、交換されていないものでの記憶部に格納されている機能設定データに基づいて交換前の機能設定内容に戻すことができる。また、換気装置本体の制御基板およびリモートコントローラの両方が交換されたときには、換気装置本体に設けられている機能設定部での設定内容についての情報をリモートコントローラが得て機能設定指令を作成するので、ユーザは、当該機能設定指令の内容をリモートコントローラの表示部に表示させて自分の好みにあった機能設定に戻すことが可能になる。換気装置本体の施工状況に応じて機能設定部で設定された内容を基にして機能設定することができるので、仕様値を基にして機能設定する場合に比べてユーザは自分の好みにあった機能設定に戻し易い。したがって、本発明の換気装置では、換気装置本体の制御基板またはリモートコントローラが交換されたときに、交換前の機能設定内容に戻し易い。
【発明を実施するための最良の形態】
【００１１】
以下、本発明の換気装置の実施の形態について図面を参照して詳細に説明する。なお、本発明は以下に説明する実施の形態に限定されるものではない。
【００１２】
実施の形態１．
図１は、本発明の換気装置の一例を概略的に示す部分切欠き側面図である。同図に示す換気装置６０は、外気と室内空気との間で熱交換を行いながら換気する装置であり、建物の天井等に埋め込まれて設置される換気装置本体４０と、この換気装置本体４０と通信により指令や情報を授受するリモートコントローラ５０とを備えている。そして、換気装置本体４０は、筐体１０と、該筐体１０に内蔵された給気用送風機１３、排気用送風機１５、および熱交換器１７と、筐体１０に取り付けられた本体側コントローラ３０とを有している。以下、各構成部材について説明する。
【００１３】
上記の筐体１０は、箱体１０ａと蓋体１０ｂとを有しており、箱体１０ａには室外側吸込口１ａ、室内側吹出口１ｂ、室内側吸込口３ａ、および室外側吹出口３ｂが設けられている。これらの各吸込口１ａ，３ａおよび各吹出口１ｂ，３ｂには、それぞれ別個に、ダクトが接続される。
【００１４】
この箱体１０ａ内には、該箱体１０ａを深さ方向に二分すると共に箱体１０ａの中央部で互いに離隔する２つの水平隔壁５ａ，５ｂと、箱体１０ａを室内側と室外側とに二分すると共に箱体１０ａの中央部で互いに離隔する２つの垂直隔壁７ａ，７ｂとが設けられており、水平隔壁５ａ上に給気用送風機１３が、また水平隔壁５ｂ上に排気用送風機１５が配置されている。そして、４つの隔壁５ａ，５ｂ，７ａ，７ｂが互いに会合する箱体１０ａの中央部には、熱交換器１７が配置されている。
【００１５】
給気用送風機１３は、本体側コントローラ３０による制御の下に動作する。給気用送風機１３の動作時には、外気が室外側吸込口１ａから筐体１０内に取り込まれ、熱交換器１７を経由して当該給気用送風機１３に達した後、ここから室内側吹出口１ｂを経て室内に吹き出される。また、排気用送風機１５も、本体側コントローラ３０による制御の下に動作する。排気用送風機１５の動作時には、室内空気が室内側吸込口３ａから筐体１０内に取り込まれ、熱交換器１７を経由して当該排気用送風機１５に達した後、ここから室外側吹出口３ｂを経て室外に吹き出される。筐体１０内外での外気および室内空気の流れを判り易くするために、図１においては、外気の流れを一点鎖線の矢印Ａで示しており、室内空気の流れを一点鎖線の矢印Ｂで示している。
【００１６】
熱交換器１７は、熱交換素子と該熱交換素子を収容した枠体（いずれも図示せず）とを有しており、給気用送風機１３により筐体１０内に取り込まれた外気と排気用送風機１５により筐体１０内に取り込まれた室内空気との間で熱交換を行う。上記の熱交換素子としては、例えば、シート状を呈する紙製の仕切部材と波形を呈する紙製の間隔保持部材とを交互に積層し、仕切部材とその下の間隔保持部材との間、および仕切部材とその上の間隔保持部材との間にそれぞれ空気の流路を複数形成した全熱交換型、顕熱交換型、または潜熱交換型の素子が用いられる。仕切部材の下に形成された各流路と当該仕切部材の上に形成された各流路とは平面視したときに略直交する。例えば、個々の仕切部材の上に形成される複数の流路の各々が外気の流路となり、当該仕切部材の下に形成される複数の流路の各々が室内空気の流路となる。換気装置６０では、熱交換素子が横臥した状態で熱交換器１７が配置される。
【００１７】
本体側コントローラ３０は、換気装置６０の施工時に施工担当者が機能設定することができる機能設定部が搭載された制御基板（図示せず）を有しており、上述した筐体１０内に設けられた温度センサ（図示せず）の検知結果と、後述するリモートコントローラ内に必要に応じて設けられる温度センサ（図示せず）の検知結果と、リモートコントローラ５０から送信されてくる機能設定指令に従って行われる機能設定の内容とに基づいて、給気用送風機１３および排気用送風機１５それぞれの動作を制御する。
【００１８】
リモートコントローラ５０は、信号線５５により本体側コントローラ３０に接続されて、本体側コントローラ３０の入出力装置として機能する。このリモートコントローラ５０は、換気運転の開始指令や停止指令および換気装置本体４０での機能設定を指示する機能設定指令等の各種の指令の入力に用いられる複数個の入力スイッチを含む入力部４１と、該入力部４１から入力した指令の内容や本体側コントローラ３０から受けた情報等を表示する表示部４２とを有している。
【００１９】
上述の構成部材を有する換気装置６０では、ユーザがリモートコントローラ５０から所望の機能設定を行うことにより、ユーザが所望する空気調和を行うことができる。そして、換気装置本体４０の制御基板またはリモートコントローラ５０が交換されたときでも交換前の機能設定内容に戻し易いように、本体側コントローラ３０およびリモートコントローラ５０それぞれの構成および機能には特徴がある。以下、図２および図３を参照して、本体側コントローラ３０およびリモートコントローラ５０それぞれの構成および機能について順次説明する。
【００２０】
図２は、図１に示した換気装置での本体側コントローラの一例を概略的に示すブロック図である。同図に示す本体側コントローラ３０Ａは、制御基板（図示せず）上に配置された機能設定部２１、送受信処理部２２、制御部２３Ａ、および本体側記憶部２４（以下の説明および図２では「記憶部２４」と略記する）を有している。
【００２１】
上記の機能設定部２１は、複数の小型スイッチの各々に互いに別個の機能を割当て、個々の小型スイッチのオン／オフ状態を手動で適宜切り替えて換気装置本体４０（図１参照）での換気動作に係る機能を設定するものであり、ディップスイッチ等を用いて構成される。例えば、機能設定部２１中の特定の小型スイッチをオンにすると給気用送風機１３（図１参照）が高速運転するように機能設定され、当該小型スイッチをオフにすると給気用送風機１３が低速運転するように機能設定される。機能設定部２１による機能設定は、換気装置６０（図１参照）の施工時にダクトワーク等の施工状況を考慮して施工担当者が行う。
【００２２】
送受信処理部２２は、信号線５５（図１参照）に接続されてリモートコントローラ５０Ａとポーリング方式で通信し、リモートコントローラ５０Ａ（図１参照）から送信されてくる換気運転の開始指令、換気運転の停止指令、および機能設定指令等の指令や、リモートコントローラ５０Ａに温度センサが設けられている場合に当該リモートコントローラ５０Ａから送信されてくる温度センサの検知結果等の情報を受信して制御部２３Ａに送る。また、制御部２３Ａが取得した機能設定部２１での設定内容についての情報等をリモートコントローラ５０Ａに送信する。
【００２３】
制御部２３Ａは、送受信処理部２２の動作を制御してリモートコントローラ５０Ａ（図１参照）から送られてくる指令や情報を受信し、これらの指令や情報に基づいて給気用送風機１３および排気用送風機１５（図１参照）の動作を制御する。また、リモートコントローラ５０Ａ（図１参照）から機能設定指令が送られてきたときには、該機能設定指令に対応した機能設定データ２４ａを作成して記憶部２４に格納すると共に、機能設定の履歴データ２４ｂを記憶部２４に格納する。リモートコントローラ５０Ａから履歴データ２４ｂや機能設定データ２４ａの取得要求があったときには当該データ２４ｂを記憶部２５から読み出し、送受信処理部２２の動作を制御して当該データをリモートコントローラ５０Ａに送信する。そして、リモートコントローラ５０Ａから機能設定部２１での設定内容についての情報の取得要求があったときには機能設定部２１での設定内容を読み取り、送受信処理部２２の動作を制御して当該設定内容に対応した情報をリモートコントローラ５０Ａに送信する。これらの処理を行うために、制御部２３Ａは、送風機制御部２３ａ1、設定読込み部２３ｂ、本体側データ管理部２３ｃ（以下の説明および図２では「データ管理部２３ｃ」と略記する）、および送受信制御部２３ｄを有している。
【００２４】
上記の送風機制御部２３ａ1は、上述の指令や情報に基づいて給気用送風機１３および排気用送風機１５の動作を制御し、リモートコントローラ５０Ａから本体側コントローラ３０Ａに機能設定指令が送信されてきたときには、該機能設定指令に従って機能設定を行う。設定読込み部２３ｂは、リモートコントローラ５０Ａから本体側コントローラ３０Ａに機能設定部２１での設定内容についての情報の取得要求があったときに、機能設定部２１での設定内容を読み取る。データ管理部２３ｃは、リモートコントローラ５０Ａから本体側コントローラ３０Ａに機能設定指令が送信されてきたときに上記の機能設定データ２４ａを作成して記憶部２４に格納すると共に、機能設定に係る履歴データ２４ｂを記憶部２４に格納する。
【００２５】
送受信制御部２３ｄは、送受信処理部２２がリモートコントローラ５０Ａから機能設定指令等の指令を受信したときには該指令を送風機制御部２３ａ1に送り、機能設定指令については、該機能設定指令をデータ管理部２３ｃにも送る。また、リモートコントローラ５０Ａから履歴データ２４ｂや機能設定データ２４ａの取得要求があったときには、記憶部２４からの履歴データ２４ｂまたは機能設定データ２４ａの読み込みを指示する指令をデータ管理部２３ｃに送り、データを読み取ったデータ管理部２３ｃから当該データを受け取って、その送信を送受信処理部２２に指示する。そして、リモートコントローラ５０Ａから機能設定部２１での設定内容についての情報の取得要求があったときには、機能設定部２１での設定内容の読み込みを指示する指令信号を設定読込み部２３ｂに送り、設定内容を読み取ったデータ管理部２３ｃから当該設定内容についての情報を受け取って、その送信を送受信処理部２２に指示する。
【００２６】
記憶部２４は、例えばＥＥＰＲＯＭ（Electrically  Erasable  Programmable  ROM）のようにデータの書換えが可能な不揮発性記憶素子により構成することができ、上述したデータ管理部２３ｃに接続されて、機能設定データ２４ａおよび履歴データ２４ｂを記憶する。なお、上記の履歴データ２４ｂは、リモートコントローラ５０Ａから機能設定指令を受信したか否かを示すデータであり、当該履歴データ２４ｂとしては、例えば、機能設定指令を受信していない場合は「０」、１回でも機能設定指令を受信した場合は「１」というディジタルデータを用いることもできるし、機能設定指令の受信回数の数値そのものを用いることもできる。
【００２７】
図３は、図１に示した換気装置でのリモートコントローラの一例を概略的に示すブロック図である。同図に示すリモートコントローラ５０Ａは、入力部４１、表示部４２、送受信処理部４３、制御部４４Ａ、およびリモート側記憶部４５（以下の説明および図３では「記憶部４５」と略記する）を有している。
【００２８】
上記の入力部４１は、例えば複数個の入力スイッチにより構成されて、換気装置本体４０（図１参照）に対する換気運転の開始指令や停止指令、機能設定を指示する機能設定指令等の各種の指令の入力に用いられる。また、表示部４２は、入力部４１から入力した指令の内容や、本体側コントローラ３０Ａ（図１または図２参照）から受けた情報の内容等を表示する。
【００２９】
送受信処理部４３は、信号線５５（図１参照）に接続されて本体側コントローラ３０Ａとポーリング方式で通信し、入力部４１から入力された各種の指令や、リモートコントローラ５０Ａに温度センサが設けられている場合における当該温度センサの検知結果等の情報を本体側コントローラ３０Ａ（図２参照）に送信する。また、本体側コントローラ３０Ａから機能設定部２１（図２参照）での設定内容についての情報等を受信して制御部４４Ａに送る。
【００３０】
制御部４４Ａは、換気装置本体４０およびリモートコントローラ５０Ａの各々に通電されて立ち上げ処理を行うときに、本体側コントローラ３０Ａと通信して所定の指令を本体側コントローラ３０Ａに送信する。また、立ち上げ処理の完了後に入力部４１からユーザが指令や指令に係る情報を入力したときに、本体側コントローラ３０Ａと通信して所定の指令を本体側コントローラ３０Ａに送信する。これらの処理を行うために、当該制御部４４Ａは、入力処理部４４ａ、表示制御部４４ｂ、リモート側データ管理部４４ｃ（以下の説明および図３では「データ管理部４４ｃ」と略記する）、指令管理部４４ｄ1、および送受信制御部４４ｅ1を有している。
【００３１】
上記の入力処理部４４ａは、入力部４１での入力スイッチの操作状態に応じて所定の信号を作成し、該信号を表示制御部４４ｂまたはデータ管理部４４ｃに送る。表示制御部４４ｂは、入力処理部４４ａから送られてくる信号や本体側コントローラ３０Ａから送受信処理部が受信した情報等に基づいて表示部４２の動作を制御し、所定の文字、図形、キャラクタ等を表示部４２に表示させる。
【００３２】
データ管理部４４ｃは、機能設定に係る情報をユーザが入力部４１から入力して入力処理部４４ａから上記の信号を受けたときや、指令管理部４４ｄ1が機能設定指令を作成したときに、入力部４１から入力された機能設定に係る情報または指令管理部４４ｄ1が作成した機能設定指令に対応した機能設定データ４５ａを作成して記憶部４５に格納する。また、リモートコントローラ５０Ａから本体側コントローラ３０Ａに機能設定指令を送信したときには、送受信制御部４４ｅ1から所定の信号を受けて、換気装置本体４０（図１参照）での機能設定に係る履歴データ４５ｂを記憶部４５に格納する。この履歴データ４５ｂは、リモートコントローラ５０Ａから本体側コントローラ３０Ａに機能設定指令を送信したか否かを示すデータであり、当該履歴データ４５ｂとしては、例えば、機能設定指令を送信していない場合は「０」、１回でも機能設定指令を送信した場合は「１」というディジタルデータを用いることもできるし、機能設定指令の送信回数の数値そのものを用いることもできる。
【００３３】
ただし、上記の立ち上げ処理時に記憶部４５に履歴データ４５ｂが格納されている場合や、上記の立ち上げ処理時に記憶部４５および本体側コントローラ３０Ａの記憶部２４（図２参照）のいずれにも履歴データ４５ｂ，２４ｂ（履歴データ２４ｂについては図２参照）が格納されていない場合に指令管理部４４ｄ1が作成する機能設定指令については、該機能設定指令に対応した機能設定データ４５ａの作成および記憶部４５への格納を省略することができる。また、当該機能設定指令に対応した履歴データ４５ｂの記憶部４５への格納も省略することができる。
【００３４】
指令管理部４４ｄ1は、上記の立ち上げ処理時に記憶部４５に履歴データ４５ｂが格納されているときには、記憶部４５から機能設定データ４５ａを得て機能設定指令を作成する。また、上記の立ち上げ処理時に記憶部４５に履歴データ４５ｂが格納されておらず、本体側コントローラ３０Ａの記憶部２４に履歴データ２４ｂが格納されているときには、換気装置本体４０、具体的には本体側コントローラ３０Ａから機能設定データ２４ａ（図２参照）を得て機能設定指令を作成する。上記の立ち上げ処理時に記憶部４５および記憶部２４のいずれにも履歴データ４５ｂ，２４ｂが格納されていないときには、データ管理部２３ｃが機能設定部２１（図２参照）から読み取った設定内容についての情報を換気装置本体４０、具体的には本体側コントローラ３０Ａから得て機能設定指令を作成する。そして、機能設定に係る情報をユーザが入力部４１から入力したときには、当該情報に基づいて機能設定指令を作成する。
【００３５】
指令管理部４４ｄ1が本体側コントローラ３０Ａから機能設定データ２４ａを得るにあたっては、まず、履歴データ２４ｂの取得要求の送信を送受信制御部４４ｅ1に指示し、履歴データ２４ｂが返信されてくると、該履歴データ２４ｂから機能設定の変更履歴があるか否かを判断する。そして、機能設定の変更履歴があると判断されたときには、機能設定データ２４ａの取得要求の送信を送受信制御部４４ｅ1に指示する。同様に、指令管理部４４ｄ1がデータ管理部２３ｃから上記の情報を得るにあたっては、上記の情報の取得要求の送信を送受信制御部４４ｅ1に指示する。なお、指令管理部４４ｄ1は、機能設定指令以外の指令に係る情報が入力部４１から入力されたときには、当該情報を基に所定の指令を作成して本体側コントローラ３０Ａへの当該指令の送信を送受信制御部４４ｅ1に指示し、リモートコントローラ５０Ａに温度センサが設けられている場合に当該温度センサの検知結果が得られたときには、本体側コントローラ３０Ａへの当該検知結果の送信を送受信制御部４４ｅ1に指示する。
【００３６】
送受信制御部４４ｅ1は、指令管理部４４ｄ1から上記確認要求の送信指示や取得要求の送信指示があったときには、所定の要求信号を送受信処理部４３に作成させて該要求信号を本体側コントローラ３０Ａ宛に送信させる。また、上記の要求信号に対する応答を送受信処理部４３が受信したときには、当該応答を指令管理部４４ｄ1に送る。そして、指令管理部４４ｄ1が機能設定指令を作成したときや、リモートコントローラ５０Ａに温度センサが設けられている場合に当該温度センサの検知結果が得られたときには、これらの指令や情報を送受信処理部４３に送って本体側コントローラ３０Ａ宛に送信させる。
【００３７】
記憶部４５は、例えばＥＥＰＲＯＭのようにデータの書換えが可能な不揮発性記憶素子により構成することができ、前述したデータ管理部４４ｃに電気的に接続されて、機能設定データ４５ａおよび履歴データ４５ｂを記憶する。
【００３８】
以上説明した構成の本体側コントローラ３０Ａおよびリモートコントローラ５０Ａを換気装置６０（図１参照）に設けると、本体側コントローラ３０Ａの制御基板を新品または新品以外のものと交換したときに、リモートコントローラ５０Ａの記憶部４５に格納されている機能設定データ４５ａに基づいて立ち上げ処理時に機能設定指令が作成されて本体側コントローラ３０Ａに送信される。このため、制御基板の交換前にユーザが設定していた機能設定内容に自動的に戻る。
【００３９】
リモートコントローラ５０Ａを新品と交換したときには、本体側コントローラ３０Ａの記憶部２４に格納されている機能設定データ２４ａ（図２参照）に基づいて立ち上げ処理時に機能設定指令が作成されて本体側コントローラ３０Ａに送信されるので、リモートコントローラ５０Ａの交換前にユーザが設定していた機能設定内容に自動的に戻る。
【００４０】
そして、換気装置６０を新規に設置したときや、本体側コントローラ３０Ａの制御基板とリモートコントローラ５０Ａとを一時に新品と交換したときには、機能設定部２１（図２参照）での設定内容に基づいて立ち上げ処理時に機能設定指令が作成されて本体側コントローラ３０Ａに送信されるので、ユーザは、換気装置６０の立ち上げ後に上記機能設定指令の内容をリモートコントローラ５０Ａの表示部４２（図３参照）に表示させて、自分の好みにあった機能設定を行うことができる。機能設定部２１での機能設定は、換気装置本体４０の施工状況に応じて施工担当者が行うので、仕様値を基にして機能設定する場合に比べ、ユーザは自分の好みにあった交換前の機能設定内容に戻し易い。
【００４１】
したがって、当該換気装置６０では、換気装置本体４０（図１参照）の制御基板（本体側コントローラ３０Ａの制御基板）およびリモートコントローラ５０Ａのいずれかが交換されたときでも、交換前の機能設定内容に戻し易い。本体側コントローラ３０Ａの制御基板を交換したときにユーザが再度機能設定を行う手間が低減されることから、換気装置本体４０が故障したときに制御基板を交換するという対処方法をとり易くなり、結果として換気装置本体４０での制御基板以外の部材を長期に亘って使用し易くなる。このため、廃棄までの期間が長くなって廃棄するための回収にかかる手間も低減される。
【００４２】
上述の技術的効果を奏する換気装置６０では、リモートコントローラ５０Ａの制御部４４Ａが行う処理の内容を適宜選定することができる。以下、図１〜図３で用いた参照符号を適宜引用しつつ図４および図５を参照して、制御部４４Ａが行う処理の具体例について説明する。
【００４３】
図４は、立ち上げ処理時にリモートコントローラの制御部が行う処理の一例を概略的に示すフローチャートである。図示の例では、立ち上げ処理時にリモートコントローラ５０Ａの制御部４４Ａ（図３参照）がステップＳ１〜Ｓ７、またはステップＳ１，Ｓ２，Ｓ８〜Ｓ１１、もしくはステップＳ１〜Ｓ４，Ｓ１２〜Ｓ１４，Ｓ１１を行って、換気装置本体４０（図１参照）を機能設定する。なお、図４においては、リモートコントローラ５０Ａを「リモコン」と略記しており、本体側コントローラ３０Ａ（図２参照）を「本体」と略記している。
【００４４】
換気装置本体４０およびリモートコントローラ５０Ａの各々に通電されて立ち上げ処理が開始されると、まず、ステップＳ１が行われる。このステップＳ１では、制御部４４Ａの指令管理部４４ｄ1が記憶部４５にアクセスして、履歴データ４５ｂ（図３参照）を読み出す。次いで行われるステップＳ２では、読み出した履歴データ４５ｂに基づいてリモートコントローラ５０Ａ側に機能設定の変更履歴があるか否かを指令管理部４４ｄ1が判断する。そして、変更履歴があると判断されたときには後述するステップＳ８に進み、変更履歴がないと判断されたときにはステップＳ３に進む。
【００４５】
ステップＳ３では、本体側コントローラ３０Ａの履歴データ２４ｂ（図２参照）を指令管理部４４ｄ1が取得する。このとき、指令管理部４４ｄ1は、履歴データ２４ｂの取得要求の送信を送受信制御部４４ｅ1（図３参照）に指示し、本体側コントローラ３０Ａから履歴データ２４ｂが返信されてくると、送受信処理部４３（図３参照）から当該履歴データ２４ｂを受け取る。上記の取得要求を受信した本体側コントローラ３０Ａでは、データ管理部２３ｃが記憶部２４から履歴データ２４ｂを読み出して送受信制御部２３ｄに送り、該送受信制御部２３ｄの制御の下に送受信処理部２２が上記履歴データ２４ｂをリモートコントローラ５０Ａに送信する。
【００４６】
次いで行われるステップＳ４では、取得した履歴データ２４ｂに基づいて、本体側コントローラ３０Ａに機能設定の変更履歴があるか否かを指令管理部４４ｄ1が判断する。そして、変更履歴があると判断されたときには後述するステップＳ１２に進み、ないと判断されたときにはステップＳ５に進む。
【００４７】
ステップＳ５では、リモートコントローラ５０Ａおよび本体側コントローラ３０Ａのいずれにも履歴データ４５ｂ，２４ｂがないことから、機能設定部２１（図２参照）での設定内容についての情報を指令管理部４４ｄ1が換気装置本体４０から取得する。このとき、指令管理部４４ｄ1は、上記の情報の取得要求の送信を送受信制御部４４ｅ1に指示し、本体側コントローラ３０Ａから上記の情報が返信されてくると、送受信処理部４３から当該情報を受け取る。上記の取得要求を受信した本体側コントローラ３０Ａでは、設定読込み部２３ｂが機能設定部２１での設定内容を読み込んで送受信制御部２３ｄに送り、該送受信制御部２３ｄの制御の下に送受信処理部２２が上記設定内容についての情報をリモートコントローラ５０Ａに送信する。
【００４８】
次いで行われるステップＳ６では、ステップＳ５で取得した上記の情報に基づいて指令管理部４４ｄ1が機能設定指令を作成する。このとき、図示の例では、データ管理部４４ｃ（図３参照）による機能設定データ４５ａの作成および記憶部４５への格納ならびに履歴データ４５ｂの更新は行われない。
【００４９】
この後、ステップＳ７に進んで、ステップＳ６で指令管理部４４ｄ1が作成した機能設定指令を送受信制御部４４ｅ1による制御の下に送受信処理部４３（図３参照）が本体側コントローラ３０Ａに送信して、立ち上げ処理時における制御部４４Ａの処理が終了する。
【００５０】
上述したステップＳ１〜Ｓ７の手順は、換気装置６０（図１参照）を新規に設置した後等に行われる立ち上げ処理時のものである。なお、上記の機能設定指令を受信した本体側コントローラ３０Ａは、データ管理部２３ｃが当該機能設定指令に対応した機能設定データ２４ａを作成して記憶部２４に格納すると共に履歴データ２４ｂ（図３参照）を更新する。
【００５１】
一方、上述したステップＳ２でリモートコントローラ５０Ａ側に機能設定の変更履歴があると指令管理部４４ｄ1が判断してステップＳ８に進んだときには、指令管理部４４ｄ1が記憶部４５から機能設定データ４５ａを読み出す。次いで行われるステップＳ９では、ステップＳ８で読み出した機能設定データ４５ａに基づいて指令管理部４４ｄ1が機能設定指令を作成する。このとき、図示の例では、データ管理部４４ｃによる機能設定データ４５ａの作成および記憶部４５への格納は行われない。
【００５２】
ステップＳ１０では、ステップＳ９で指令管理部４４ｄ1が作成した機能設定指令を送受信制御部４４ｅ1による制御の下に送受信処理部４３が本体側コントローラ３０Ａに送信する。この後にステップＳ１１に進み、データ管理部４４ｃが履歴データ４５ｂを更新して、立ち上げ処理時における制御部４４Ａの処理が終了する。
【００５３】
上述したステップＳ１，Ｓ２，Ｓ８〜Ｓ１１の処理は、ユーザによる機能設定が済んでいる換気装置６０での立ち上げ処理時のもの、またはユーザによる機能設定が済んでいる換気装置６０での本体側コントローラ３０Ａの制御基板を交換した後に初めて行われる立ち上げ処理時のものである。なお、上記の機能設定指令を受信した本体側コントローラ３０Ａは、データ管理部２３ｃが当該機能設定指令に対応する機能設定データ２４ａを作成して記憶部２４に格納すると共に履歴データ２４ｂを更新する。
【００５４】
また、上述したステップＳ４で本体側コントローラ３０Ａに機能設定の変更履歴があると指令管理部４４ｄ1が判断してステップＳ１２に進んだときには、本体側コントローラ３０Ａの記憶部２４に格納されている機能設定データ２４ａ（図２参照）を指令管理部４４ｄ1が取得する。このとき、指令管理部４４ｄ1は、機能設定データ２４ａの取得要求の送信を送受信制御部４４ｅ1に指示し、本体側コントローラ３０Ａから機能設定データ２４ａが返信されてくると、送受信処理部４３から当該機能設定データ２４ａを受け取る。上記の取得要求を受信した本体側コントローラ３０Ａでは、データ管理部２３ｃが記憶部２４から機能設定データ２４ａを読み出して送受信制御部２３ｄに送り、該送受信制御部２３ｄの制御の下に送受信処理部２２が上記機能設定データ２４ａをリモートコントローラ５０Ａに送信する。
【００５５】
次いで行われるステップＳ１３では、ステップＳ１２で取得した上記の機能設定データ２４ａに基づいて指令管理部４４ｄ1が機能設定指令を作成する。このとき、データ管理部４４ｃは、機能設定データ４５ａの作成および記憶部４５への格納を行う。ステップＳ１４では、ステップＳ１３で指令管理部４４ｄ1が作成した機能設定指令を送受信制御部４４ｅ1による制御の下に送受信処理部４３が本体側コントローラ３０Ａに送信する。この後、前述したステップＳ１１に進んでデータ管理部４４ｃが履歴データ４５ｂを更新して、立ち上げ処理時における制御部４４Ａの処理が終了する。
【００５６】
上述したステップＳ１〜Ｓ４，Ｓ１２〜Ｓ１４，Ｓ１１の処理は、ユーザによる機能設定が済んでいる換気装置６０でのリモートコントローラ５０Ａを交換した後に初めて行われる立ち上げ処理時のものである。なお、上記の機能設定指令を受信した本体側コントローラ３０Ａは、データ管理部２３ｃが当該機能設定指令に対応する機能設定データ２４ａを作成して記憶部２４に格納すると共に履歴データ２４ｂを更新する。
【００５７】
図５は、立ち上げ処理完了後にユーザがリモートコントローラから機能設定する際に制御部が行う処理の一例を概略的に示すフローチャートである。図示の例では、リモートコントローラ５０Ａの制御部４４Ａ（図３参照）がステップＳ２１〜Ｓ２４を行って、換気装置本体４０（図１参照）を機能設定する。なお、図４においては、リモートコントローラ５０Ａを「リモコン」と略記している。
【００５８】
最初に行われるステップＳ２１では、リモートコントローラ５０Ａで機能設定の変更指示の入力があったか否か、すなわちリモートコントローラ５０Ａの入力部４１（図３参照）からユーザが機能設定に係る情報を入力したか否かを指令管理部４４ｄ1が判断する。当該変更指示の入力がないと判断されたときには機能設定に係る制御部４４Ａの制御を終了し、当該変更指示の入力があったと判断されたときはステップＳ２２に進む。
【００５９】
ステップＳ２２では、上記の変更指示に対応した機能設定指令を指令管理部４４ｄ1が作成する。このとき、データ管理部４４ｃは、機能設定データ４５ａの作成および記憶部４５への格納を行う。次いで行われるステップＳ２３では、ステップＳ２２で指令管理部４４ｄ1が作成した機能設定指令を送受信制御部４４ｅ1による制御の下に送受信処理部４３が本体側コントローラ３０Ａに送信する。この後にステップＳ２４に進み、データ管理部４４ｃが履歴データ４５ｂを更新して、立ち上げ処理完了後の機能設定に係る制御部４４Ａの処理が終了する。なお、上記の機能設定指令を受信した本体側コントローラ３０Ａは、データ管理部２３ｃが当該機能設定指令に対応する機能設定データ２４ａを作成して記憶部２４に格納すると共に履歴データ２４ｂを更新する。
【００６０】
実施の形態２．
本発明の換気装置では、機能設定指令に対応した機能設定データを作成すると共に機能設定の履歴データの更新を行うデータ管理部と、該データ管理部による機能設定データおよび履歴データが格納される記憶部とを換気装置本体およびリモートコントローラの少なくとも一方に設けることができる。したがって、これらデータ管理部および記憶部は、換気装置本体の本体側コントローラにのみ設けることもできるし、リモートコントローラにのみ設けることもできる。
【００６１】
図６は、本発明の換気装置のうちで上記の記憶部およびデータ管理部がリモートコントローラにのみ設けられたものでの本体側コントローラの一例を概略的に示すブロック図であり、図７は、当該換気装置でのリモートコントローラの一例を概略的に示すブロック図である。これらの本体側コントローラおよびリモートコントローラを備えた換気装置の全体構成は、例えば図１に示した換気装置６０の構成と同様とすることができるので、その図示を省略する。
【００６２】
図６に示す本体側コントローラ３０Ｂは、図２に示した制御部２３Ａに代えて制御部２３Ｂを備えているという点、および記憶部を備えていないという点をそれぞれ除き、図２に示した本体側コントローラ３０Ａと同様の構成を有している。制御部２３Ｂの構成は、図２に示したデータ管理部２３ｃを有していないという点を除き、図２に示した制御部２３Ａの構成と同じである。図６に示した各構成要素については図２を参照して既に説明済みであるので、これらの構成要素には図２で用いた参照符号と同じ参照符号を付してその説明を省略する。
【００６３】
一方、図７に示すリモートコントローラ５０Ｂは、図３に示した制御部４４Ａに代えて制御部４４Ｂを備えているという点を除き、図３に示したリモートコントローラ５０Ａと同様の構成を有している。制御部４４Ｂの構成は、図２に示した指令管理部４４ｄ1に代えて指令管理部４４ｄ2を有しているという点を除き、図２に示した制御部４４Ａの構成と同じである。図７に示した構成要素のうちで指令管理部４４ｄ2以外の構成要素については図３を参照して既に説明済みであるので、これらの構成要素には図３で用いた参照符号と同じ参照符号を付してその説明を省略する。
【００６４】
上記の指令管理部４４ｄ2は、機能設定の履歴データが本体側コントローラ３０Ｂ（図６参照）に記憶されないことから、立ち上げ処理時に記憶部４５に履歴データ４５ｂが格納されていないときには直ちに本体側コントローラ３０Ｂから機能設定部２１（図６参照）での設定内容についての情報を得、該情報に基づいて機能設定指令を作成する。この点を除けば、指令管理部４４ｄ2は図２に示した指令管理部４４ｄ1と同様に動作する。
【００６５】
これら図６に示した本体側コントローラ３０Ｂと図７に示したリモートコントローラ５０Ｂとを備えた換気装置では、本体側コントローラ３０Ｂの制御基板を新品または新品以外のものと交換した後の立ち上げ処理時に、交換前にユーザが設定していた機能設定内容に自動的に戻る。また、当該換気装置を新規に設置したときや、本体側コントローラ３０Ｂの制御基板とリモートコントローラ５０Ｂとを新品に交換したときや、リモートコントローラ５０Ｂのみを新品に交換したときには、実施の形態１で説明した換気装置６０（図１参照）を新規に設置したときにおけるのと同様の理由から、ユーザは、換気装置の立ち上げ後に自分の好みにあった交換前の機能設定内容に戻し易い。
【００６６】
したがって、当該換気装置では、換気装置本体側の制御基板（本体側コントローラ３０Ｂの制御基板）およびリモートコントローラ５０Ｂのいずれかが交換されたときでも、交換前の機能設定内容に戻し易い。本体側コントローラ３０Ｂに記憶部を設けないことから、製造コストを低減させることも容易である。また、実施の形態１で説明した換気装置６０におけるのと同様の理由から、換気装置本体での制御基板以外の部材を長期に亘って使用し易くなるので、廃棄までの期間が長くなって廃棄のための回収にかかる手間も低減される。
【００６７】
上述の技術的効果を奏する換気装置でも、実施の形態１で説明した換気装置６０におけるのと同様に、リモートコントローラ５０Ｂの制御部４４Ｂが行う処理を適宜選定することができる。以下、図６または図７で用いた参照符号を適宜引用しつつ図８を参照して、制御部４４Ｂが行う処理の具体例を説明する。
【００６８】
図８は、図６に示した本体側コントローラと図７に示したリモートコントローラとを備えた換気装置での立ち上げ処理時にリモートコントローラの制御部が行う処理の一例を概略的に示すフローチャートである。図示の例では、立ち上げ処理時にリモートコントローラ５０Ｂの制御部４４Ｂ（図７参照）がステップＳ１，Ｓ２、Ｓ５〜Ｓ７、またはステップＳ１，Ｓ２，Ｓ８〜Ｓ１１を行って、換気装置本体を機能設定する。個々のステップでの処理内容は、図４を参照して既に説明した同一参照符号のステップでの処理内容と同じであるので、ここではその説明を省略する。
【００６９】
図８と図４との対比から明らかなように、制御部４４Ｂは、ステップＳ２でリモートコントローラ５０Ｂに機能設定の変更履歴がないと判断されたときにはステップＳ５〜Ｓ７を順次行い、本体側コントローラ３０Ｂの機能設定部２１（図６参照）で機能設定した内容に基づいて機能設定指令を作成し、該機能設定指令を本体側コントローラ３０Ｂに送信して立ち上げ処理時の機能設定に係る処理を終了する。また、ステップＳ２でリモートコントローラ５０Ｂに機能設定の変更履歴があると判断されたときにはステップＳ８〜Ｓ１１を順次行い、リモートコントローラ５０Ｂの記憶部４５に格納されている機能設定データ４５ａ（図７参照）に基づいて機能設定指令を作成し、該機能設定指令を本体側コントローラ３０Ｂに送信して立ち上げ処理時の機能設定に係る処理を終了する。
【００７０】
実施の形態３．
図９は、本発明の換気システムの一例を示す概略図である。同図に示す換気システム１００は、本発明の換気装置に含まれる３台の換気装置６０Ａ，６０Ａ，６０Ａにより構成されたものであり、個々の換気装置６０Ａは、部屋１１０の天井に埋め込まれた換気装置本体４０Ａと、部屋１１０の壁面に取り付けられたリモートコントローラ５０Ｃとを含む。ただし、リモートコントローラ５０Ｃは１台のみであり、該リモートコントローラ５０Ｃは、信号線５５により各換気装置本体４０Ａの本体側コントローラ３０Ｃに接続されている。なお、個々の換気装置本体４０Ａは、本体側コントローラが本体側コントローラ３０Ｃであるという点を除き、図１に示した換気装置本体４０と同様の構成を有している。
【００７１】
図１０は、図９に示した換気システムで個々の換気装置本体に設けられる本体側コントローラの一例を概略的に示すブロック図であり、図１１は、図９に示した換気システムで各換気装置本体に接続されるリモートコントローラの一例を概略的に示すブロック図である。
【００７２】
図１０に示すように、本体側コントローラ３０Ｃは、図２に示した制御部２３Ａに代えて制御部２３Ｃを備えているという点、および代表機指定部２５を備えているという点をそれぞれ除き、図２に示した本体側コントローラ３０Ａと同様の構成を有している。制御部２３Ｃの構成は、図２に示した送風機制御部２３ａ1に代えて送風機制御部２３ａ2を有しているという点を除き、図２に示した制御部２３Ａの構成と同じである。図１０に示した構成要素のうちで送風機制御部２３ａ2および代表機指定部２５をそれぞれ除いた残りの構成要素については図２を参照して既に説明済みであるので、これらの構成要素には図２で用いた参照符号と同じ参照符号を付してその説明を省略する。
【００７３】
上記の送風機制御部２３ａ2は、換気装置本体４０Ａ（図９参照）が代表機指定部２５により代表機に指定されているときには、リモートコントローラ５０Ｃ（図９参照）から本体側コントローラ３０Ｃに送信されてきた機能設定指令に従って機能設定を行う。一方、換気装置本体４０Ａが代表機指定部２５により代表機に指定されていないときには、後述するリモートコントローラ３０Ｃの有効／無効選択部で「有効」が選択されていればリモートコントローラ３０Ｃからの機能設定指令に従って機能設定を行い、「無効」が選択されていれば上記の機能設定指令には従わずに機能設定部２１での設定内容に従って機能設定を行う。代表機指定部２５は、換気装置本体４０Ａを上記の代表機にするか否かを指定するものであり、例えば制御部２３Ｃに電気的に接続されたメカニカルスイッチにより構成される。
【００７４】
一方、図１１に示すリモートコントローラ５０Ｃは、図３に示した制御部４４Ａに代えて制御部４４Ｃを備えているという点、および有効／無効選択部４６を備えているという点をそれぞれ除き、図３に示したリモートコントローラ５０Ａと同様の構成を有している。制御部４４Ｃの構成は、図３に示した送受信制御部４４ｅ1に代えて送受信制御部４４ｅ2を有しているという点を除き、図３に示した制御部４４Ａの構成と同じである。図１１に示した構成要素のうちで送受信制御部４４ｅ2および有効／無効選択部４６をそれぞれ除いた残りの構成要素については図３を参照して既に説明済みであるので、これらの構成要素には図３で用いた参照符号と同じ参照符号を付してその説明を省略する。
【００７５】
上記の送受信制御部４４ｅ2は、図２に示した送受信制御部４４ｅ1が有する機能に加えて、有効／無効選択部４６の選択結果に対応した指令信号も送信するという機能を備えている。有効／無効選択部４６は、リモートコントローラ５０Ｃから本体側コントローラ３０Ｃ（図１０参照）に送信される機能設定指令を有効とするか無効とするかを選択するものであり、例えば制御部４４Ｃに電気的に接続されたメカニカルスイッチにより構成される。
【００７６】
有効／無効選択部４６により「有効」が選択されているとき、送受信制御部４４ｅ2は、リモートコントローラ５０Ｃからの機能設定指令を有効にすることを指示する指令信号を本体側コントローラ３０Ｃに送信する。また、有効／無効選択部４６により「無効」が選択されているときには、リモートコントローラ５０Ｃからの機能設定指令を無効にすることを指示する指令信号を本体側コントローラ３０Ｃに送信する。
【００７７】
これら図１０に示した本体側コントローラ３０Ｃと図１１に示したリモートコントローラ５０Ｃとを備えた換気装置６０Ａ（図９参照）では、立ち上げ処理時に実施の形態１で説明した制御と同様の制御をリモートコントローラ５０Ｃの制御部４４Ｃが行って、機能設定指令を本体側コントローラ３０Ｃに送信する。このとき、有効／無効選択部４６の選択結果に対応した上記の指令信号も本体側コントローラ３０Ｃに送信される。これらの機能設定指令および指令信号を受信した本体側コントローラ３０Ｃは、代表機指定部２５の指定内容と上記指令信号とを基に機能設定指令に従うか否かを決定し、機能設定指令に従った機能設定または機能設定部２１での設定内容に従った機能設定を行って、給気用送風機および排気用送風機それぞれの動作を制御する。
【００７８】
図１２は、本体側コントローラが送風機の制御内容を決定する際に行う処理の一例を概略的に示すフローチャートである。図示の例では、本体側コントローラ３０Ａ（図１０参照）がステップＳ３１、Ｓ３２、またはステップＳ３１，Ｓ３３，Ｓ３４を行って、送風機の制御内容を決定する。
【００７９】
最初に行われるステップＳ３１では、有効／無効選択部４６の選択結果に応じてリモートコントローラ５０Ｃ（図１１参照）から送信されてくる指令信号を基に、有効／無効選択部４６の選択結果が「有効」であるか否かを送風機制御部２３ａ2（図１０参照）が判断する。「有効」であると判断されたときにはステップＳ３２に進んで、リモートコントローラ５０Ｃからの機能設定指令に従って機能設定を行い、機能設定指令に対応した内容で給気用送風機および排気用送風機それぞれの動作を制御するものと決定する。
【００８０】
一方、上記のステップＳ３１で有効ではない、すなわち「無効」であると判断されたときにはステップＳ３３に進んで、換気装置本体４０Ａ（図９参照）が代表機指定部２５（図１０参照）により代表機に指定されているか否かを送風機制御部２３ａ2が判断する。代表機に指定されていると判断されたときには上述したステップＳ３２に進み、代表機に指定されていないと判断されたときにはステップＳ３４に進んで、機能設定部２１（図１０参照）での設定内容に従って機能設定を行い、当該機能設定部２１での設定内容に対応した内容で給気用送風機および排気用送風機それぞれの動作を制御するものと決定する。
【００８１】
上述のようにして換気装置本体４０Ａでの機能設定を行う３台の換気装置６０Ａを備えた換気システム１００では、少なくとも１台の換気装置６０Ａが代表機に指定される。代表機に指定された換気装置６０Ａでは、前述のように、立ち上げ処理時に実施の形態１で説明した制御と同様の制御をリモートコントローラ５０Ｃの制御部４４Ｃが行って機能設定指令を本体側コントローラ３０Ｃに送信するので、実施の形態１で説明した技術的効果と同様の技術的効果が得られる。
【００８２】
また、各換気装置本体４０Ａの設置位置等に応じて代表機と非代表機とを適宜選定することができ、かつリモートコントローラ５０Ｃでの有効／無効選択部４６により当該リモートコントローラ５０Ｃからの指令信号を有効とするか無効とするかを選択することができるので、非代表機については機能設定部２１（図１０参照）で所望の機能設定を行うことにより、換気装置６０Ａ毎に所望の機能設定を行うことが可能である。したがって、換気システム１００によれば、部屋１１０（図９参照）の構造やレイアウト等に応じた快適な空調を行い易い。
【００８３】
以上、本発明の換気装置および換気システムについて実施の形態を挙げて説明したが、前述のように、本発明は上記の形態に限定されるものではない。本体側コントローラおよびリモートコントローラの各々を除いた換気装置の構成は、換気装置に求められる性能等に応じて適宜変更可能である。また、本体側コントローラおよびリモートコントローラそれぞれの構成も適宜変更可能である。例えば、図２に示した設定読込み部２３ｂを制御部２３Ａから独立させて、機能設定部２１と共に機能設定管理部とすることもできる。
【００８４】
また、データ管理部と機能設定データおよび履歴データが格納される記憶部とは、前述のように、換気装置本体の本体側コントローラにのみ設けることもできる。この場合のリモートコントローラの構成は、例えば図３または図７に示したリモートコントローラ５０Ａ，５０Ｂからデータ管理部４４ｃと記憶部４５とを省略した構成とすることができる。このように構成されたリモートコントローラでは、例えば図４に示したフローチャートでのステップＳ１、Ｓ２、Ｓ８〜ステップＳ１１をそれぞれ省略した内容で立ち上げ処理に処理を行って、機能設定指令を本体側コントローラに送信する。
【００８５】
リモートコントローラからの機能設定指令を有効とするか無効とするかを選択する有効／無効選択部は、メカニカルスイッチを用いて構成する他に、ソフトウエアを用いて構成することも可能である。ソフトウエアを用いて構成する場合には、例えば、リモートコントローラの入力部中の所定の入力スイッチが有効／無効の選択指令を入力するためのスイッチとして用いられ、リモートコントローラの表示部には有効／無効を選択するためのガイド画像が表示される。有効／無効選択部は、実施の形態３ではリモートコントローラに設けているが、本体側コントローラに設けてもよい。本体側コントローラに有効／無効選択部を設けた場合には、換気装置本体毎にリモートコントローラからの機能設定指令を有効とするか無効とするかの選択が行えるようになる。本発明については、上述した以外にも種々の変形、修飾、組み合わせ等が可能である。
【産業上の利用可能性】
【００８６】
本発明の換気装置および換気システムは、家庭用または業務用の換気装置および換気システムとして好適である。
【図面の簡単な説明】
【００８７】
【図１】本発明の換気装置の一例を概略的に示す部分切欠き側面図である。
【図２】図１に示した換気装置での本体側コントローラの一例を概略的に示すブロック図である。
【図３】図１に示した換気装置でのリモートコントローラの一例を概略的に示すブロック図である。
【図４】本発明の換気装置での立ち上げ処理時にリモートコントローラの制御部が行う処理の一例を概略的に示すフローチャートである。
【図５】本発明の換気装置での立ち上げ処理完了後にユーザがリモートコントローラから機能設定する際に制御部が行う処理の一例を概略的に示すフローチャートである。
【図６】本発明の換気装置のうちで記憶部およびデータ管理部がリモートコントローラにのみ設けられたものでの本体側コントローラの一例を概略的に示すブロック図である。
【図７】本発明の換気装置のうちで記憶部およびデータ管理部がリモートコントローラにのみ設けられたものでのリモートコントローラの一例を概略的に示すブロック図である。
【図８】図６に示した本体側コントローラと図７に示したリモートコントローラとを備えた換気装置での立ち上げ処理時にリモートコントローラの制御部が行う処理の一例を概略的に示すフローチャートである。
【図９】本発明の換気システムの一例を示す概略図である。
【図１０】図９に示した換気システムで個々の換気装置本体に設けられる本体側コントローラの一例を概略的に示すブロック図である。
【図１１】図９に示した換気システムで各換気装置本体に接続されるリモートコントローラの一例を概略的に示すブロック図である。
【図１２】図９に示した換気システムで本体側コントローラが送風機の制御内容を決定する際に行う処理の一例を概略的に示すフローチャートである。
【符号の説明】
【００８８】
１３  給気用送風機
１５  排気用送風機
１７  熱交換器
２１  機能設定部
２２  送受信処理部
２３Ａ，２３Ｂ  制御部
２３ａ1，２３ａ2  送風機制御部
２３ｂ  設定読込み部
２３ｃ  本体側データ管理部
２４  本体側記憶部
２４ａ  機能設定データ
２４ｂ  履歴データ
２５  代表機指定部
３０，３０Ａ，３０Ｂ，３０Ｃ  本体側コントローラ
４０，４０Ａ  換気装置本体
４１  入力部
４２  表示部
４３  送受信処理部
４４Ａ，４４Ｂ  制御部
４４ｃ  リモート側データ管理部
４４ｄ1，４４ｄ2  指令管理部
４５  リモート側記憶部
４５ａ  機能設定データ
４５ｂ  履歴データ
４５  有効／無効選択部
５０，５０Ａ，５０Ｂ，５０Ｃ  リモートコントローラ
６０，６０Ａ  換気装置
１００  換気システム
【図１】
2010101578.tif 000003
【図２】
2010101578.tif 000004
【図３】
2010101578.tif 000005
【図４】
2010101578.tif 000006
【図５】
2010101578.tif 000007
【図６】
2010101578.tif 000008
【図７】
2010101578.tif 000009
【図８】
2010101578.tif 000010
【図９】
2010101578.tif 000011
【図１０】
2010101578.tif 000012
【図１１】
2010101578.tif 000013
【図１２】
2010101578.tif 000014